(57)【要約】      （修正有）【課題】廃棄物処理法に抵触することなく効率的でかつ現場周辺での騒音問題がなく、亦現場土壌のオイル汚染問題を解決できる廃電線の切断及びオイル回収方法、廃電線の切断及びオイル回収装置の提供。【解決手段】以下の工程からなる廃電線１０の切断及びオイル回収方法。１）廃電線が敷設された現場において、廃電線１０をドラム１１に巻きつけた上、車両に積み込んで作業場に運搬する工程、２）作業場の電線送り出し装置１２に廃電線１０を巻き付けたドラム１１をセットし、電線送り出し装置１２から廃電線１０を送り出す工程、３）電線送り出し装置１２から、廃電線１０をカット位置まで送り出して所定の長さで切断する工程、４）２）と３）の工程間、または３）と４）の工程間、もしくは４）の工程後に、電線表層剥離装置１３を用いて廃電線１０の表層を分離する工程、５）２）ないし４）の工程の間において冷却用オイルを回収する工程【選択図】図１
2018202329.tif 000002
【特許請求の範囲】
【請求項１】
以下の工程からなる廃電線の切断およびオイル回収方法。
１）廃電線が敷設された現場において、該廃電線をドラムに巻きつけた上、車両に積み込んで作業場に運搬する工程
２）作業場の電線送り出し装置に前記廃電線を巻き付けたドラムをセットし、該電線送り出し装置から前記廃電線を送り出す工程
３）電線送り出し装置から、前記廃電線をカット位置まで送り出して所定の長さで切断する工程
４）前記２）と３）の工程間、または３）と４）の工程間、もしくは４）の工程後に、電線表層剥離装置を用いて前記廃電線の表層を分離する工程
５）前記２ないし４）の工程の間において冷却用オイルを回収する工程
【請求項２】
以下の手段からなる廃電線の切断およびオイル回収装置。
１）前記廃電線を巻き付けたドラムをセットして前記廃電線を送り出す電線送り出し装置
２）電線送り出し装置から送り出された前記廃電線をカット位置において所定の長さで切断するカット装置
３）前記廃電線の表層を分離する電線表層剥離装置
４）前記各装置の下部に設置されていて冷却用オイルを回収するオイル受け
【発明の詳細な説明】
【技術分野】
【０００１】
この発明は、環境配慮型の冷却用オイルを充填された廃電線の切断およびオイル回収方法、および廃電線の切断およびオイル回収装置に関する。
【背景技術】
【０００２】
従来の冷却用オイルを充填された廃電線の剥離作業は、以下の工程で行われている。
１．カット作業
運搬するため現場にて約１メートルにカットする作業。
２．冷却用オイル漏れ防止作業
このような地中に埋設された電線は冷却用オイルが入っているため、表層のＰＰ樹脂と電線部の間に充填された冷却用オイルが漏れないように蓋をする加工を行う。
３．ドラム缶投入作業
カットした廃電線を運搬するために、ドラム缶に投入する作業を行う。
ちなみに、１メートルにカットした廃電線は約２０本弱について１缶を要する。
【０００３】
本来、発注者にとって一般的な廃棄物は、有償物であっても積み込み作業および運搬作業で終了となるが、廃電線の処理においては現場での上記作業時間を要するため、以下のようなコスト面、環境面からの問題が生じていた。
１．発注者に対しての終了、完了までの時間を要することになる。
２．作業場にカット設備が必要となり、また運搬用ドラム缶の搬入、作業人員の現場配置等も必要で、遠方になると宿泊費などのコスト負担もかさむことになる。
３．請負企業にとっても現場が終わるまで、他の現場に対して手が付けられない状況となり、計画的な作業、請負ができない。
４．現場周辺において、カット作業時の騒音問題が発生し、付近の住民からクレームが来る心配がある。
５．冷却用オイルの土壌汚染の問題は深刻である。
作業時には、オイルが土壌に落ちないようにシートなどを敷設するが、シート内のカット時に飛び散ったオイルがある場所に作業者が出入りすることなどがあり、対策が万全とは言えない。
【０００４】
特に、前記従来の処理方法では、下記のような廃棄物処理法に抵触する可能性があった。
Ａ．現場有償物扱いであっても、現場でカット作業をしたり、カット作業時におけるオイル漏れを回収するため、それら作業自体が中間処理作業にあたり、廃棄物処理法に抵触している恐れがある。
すなわち、客観的には銅線としての物質的な価値はあるが、カットした時点で電線として利用できないため、中古電線から外れて有償物、有価物扱いには無理がある。
Ｂ．このようなグレーゾーンから脱却するためには、廃棄物、有償物、有価物の何れにしても、現場において処理作業を行わずに現場からシンプルに収集運搬のみを行うことである。
Ｃ．法律上の扱いとしては、銅線の価値を推測した上、処理作業の工賃から銅線の価値を引き、実質価値が上回った段階で有価物として購入することが前提と考えられるが、各関係機関に見解を求める必要がある。
Ｄ．何れにしても、現場でのカット作業や、剥離した廃ＰＰ樹脂や廃オイルが発生し、廃棄物処理法に抵触する可能性が大である。
【０００５】
ちなみに、特開平８−２０８１２２号公報（特許文献１参照）には、条長を計測しつつ大型の電線ドラムから引出した電線を所定の条長で切断する本体装置部と本体装置部から送り出されてくる切り出し済みの電線を巻き取る巻取り装置部とからなる電線切出装置について、電線を巻き束で取り出すための巻き束形成用ドラム部を有するとともに、着脱可能なドラム部品を電線のドラム巻きによる取出しのための交換部品として含む構造でその巻取り装置部を形成するようにした電線取出装置が示されている。
【先行技術文献】
【特許文献】
【０００６】
【特許文献１】特開平８−２０８１２２号公報
【発明の概要】
【発明が解決しようとする課題】
【０００７】
従来の廃電線の処理方法においては、上述のような種々の問題点があったことはよく知られている。
したがってこの発明の目的は、廃棄物処理法に抵触することなく、効率的でかつ現場周辺での騒音問題がなく、また現場土壌のオイル汚染問題を解決できる廃電線の切断およびオイル回収方法、廃電線の切断およびオイル回収装置を提供することにある。
【課題を解決するための手段】
【０００８】
すなわち本発明は、以下の工程からなる廃電線の切断およびオイル回収方法である。
１）廃電線が敷設された現場において、該廃電線をドラムに巻きつけた上、車両に積み込んで作業場に運搬する工程
２）作業場の電線送り出し装置に前記廃電線を巻き付けたドラムをセットし、該電線送り出し装置から前記廃電線を送り出す工程
３）電線送り出し装置から、前記廃電線をカット位置まで送り出して所定の長さで切断する工程
４）前記２）と３）の工程間、または３）と４）の工程間、もしくは４）の工程後に、電線表層剥離装置を用いて前記廃電線の表層を分離する工程
５）前記２ないし４）の工程の間において冷却用オイルを回収する工程
【０００９】
さらに本発明は、以下の手段からなる廃電線の切断およびオイル回収装置である。
１）前記廃電線を巻き付けたドラムをセットして前記廃電線を送り出す電線送り出し装置
２）電線送り出し装置から送り出された前記廃電線をカット位置において所定の長さで切断するカット装置
３）前記廃電線の表層を分離する電線表層剥離装置
４）前記各装置の下部に設置されていて冷却用オイルを回収するオイル受け
【発明の効果】
【００１０】
以上の廃電線の切断およびオイル回収方法、廃電線の切断およびオイル回収装置においては、以下のような効果を奏することができる。
１．現場において廃電線のカット作業がないため、現場の周辺住民からクレームがくるおそれのある騒音が発生しない。
２．現場において廃電線のカット作業がないため、現場周辺の土壌を汚染する冷却用オイルの漏れがない。
３．したがって廃棄物処理法に抵触することがなく、また効率的でかつ現場周辺での騒音の問題や、現場土壌のオイル汚染問題を解決できる画期的システムを提供することができる。
【図面の簡単な説明】
【００１１】
【図１】本発明の廃電線の切断およびオイル回収方法、廃電線の切断およびオイル回収装置の第１の実施の形態を示す概略説明図である。
【図２】本発明の廃電線の切断およびオイル回収方法、廃電線の切断およびオイル回収装置の第２の実施の形態を示す概略説明図である。
【図３】本発明の廃電線の切断およびオイル回収方法、廃電線の切断およびオイル回収装置の第３の実施の形態を示す概略説明図である。
【発明を実施するための形態】
【００１２】
＜第１の実施形態の説明＞
図１は、本発明の廃電線の切断およびオイル回収方法、廃電線の切断およびオイル回収装置の第１の実施の形態を示すものである。
まず、本実施例において廃電線の切断およびオイル回収装置は以下の構成を有するものである。
【００１３】
＜廃電線の巻取り装置：施工現場に設置＞
埋設した廃電線を引き出す施工現場に設置される電線巻取り装置（図示は省略）であり、前記廃電線を巻き付けたドラム１１をセットして前記廃電線を巻き取る作業を行う。
このような廃電線の巻取り装置としては、市販の電動ケーブル巻取り装置等を使用することができる。
【００１４】
＜廃電線の送り出し装置＞
前記廃電線を巻き付けたドラム１１を作業所に運搬して所定位置にセットした上、このドラム１１から廃電線１０を送り出す電線送り出し装置１２であり、前記廃電線を次の加工工程に送り出す作業を行う。
このような廃電線１０の送り出し装置１２としては、市販の電動式ケーブル送り出し装置等を使用することができる。
【００１５】
＜廃電線の表層剥離装置＞
前記電線送り出し装置１２から送り出された前記廃電線１０の表層を剥離する廃電線の表層剥離装置１３であり、前記廃電線１０の表層を皮むきする作業を行う。
このような廃電線の表層剥離装置１３としては、市販の電線剥離装置（剥線機）等を使用することができる。
【００１６】
＜廃電線のカット装置＞
前記電線送り出し装置１２から送り出され、前記廃電線の表層剥離装置１３で表層を剥離された前記廃電線１０を切断する廃電線のカット装置１４であり、廃電線１０をカット位置において所定の長さで切断する作業を行う。
このような廃電線のカット装置１４としては、市販のケーブル切断機等を使用することができる。
【００１７】
＜オイル受け＞
前記各装置の下部に設置されていて冷却用オイルを回収するオイル受け１５であり、廃電線の切断時に冷却用オイルが流れ落ちるのを受け取る。
このようなオイル受け１５としては、市販のオイル受け（皿）等を使用することができる。
【００１８】
次に、第１の実施形態の廃電線の切断およびオイル回収方法の各工程を説明する。
工程１）廃電線が敷設された現場において、該廃電線１０をドラム１１に巻きつけた上、車両に積み込んで作業場に運搬する工程
工程２）作業場の電線送り出し装置１２の手前に前記廃電線を巻き付けたドラム１１をセットし、該電線送り出し装置１２から前記廃電線を送り出す工程
工程３）前記電線送り出し装置１２から送り出された前記廃電線１０から、電線表層剥離装置１３を用いて前記廃電線１０の表層を分離する工程
工程４）前記電線送り出し装置１２から送り出された前記廃電線１０をカット位置まで送り出して廃電線のカット装置１４で所定の長さで切断する工程
工程５）前記２）ないし４）の工程の間において冷却用オイルを回収する工程
【００１９】
＜第２の実施形態の説明＞
図２は、本発明の廃電線の切断およびオイル回収方法、廃電線の切断およびオイル回収装置の第２の実施の形態を示すものである。
まず、本実施例において廃電線の切断およびオイル回収装置は以下の構成を有するものである。
【００２０】
＜廃電線の巻取り装置：施工現場に設置＞
埋設した廃電線を引き出す施工現場に設置される電線巻取り装置（図示は省略）であり、前記廃電線を巻き付けたドラム２１をセットして前記廃電線を巻き取る作業を行う。
【００２１】
＜廃電線の送り出し装置＞
前記廃電線を巻き付けたドラム２１を作業所に運搬して所定位置にセットした上、このドラム２１から廃電線２０を送り出す電線送り出し装置２２であり、前記廃電線を次の加工工程に送り出す作業を行う。
【００２２】
＜廃電線のカット装置＞
前記電線送り出し装置２２から送り出された前記廃電線２０を切断する廃電線のカット装置２３であり、廃電線２０をカット位置において所定の長さで切断する作業を行う。
【００２３】
＜廃電線の表層剥離装置＞
前記電線送り出し装置２２から送り出された前記廃電線２０の表層を剥離する廃電線の表層剥離装置２４であり、前記廃電線２０の表層を皮むきする作業を行う。
【００２４】
＜オイル受け＞
前記各装置の下部に設置されていて冷却用オイルを回収するオイル受け２５であり、廃電線の切断時に冷却用オイルが流れ落ちるのを受け取る。
【００２５】
次に、第２の実施形態の廃電線の切断およびオイル回収方法の各工程を説明する。
工程１）廃電線が敷設された現場において、該廃電線２０をドラム２１に巻きつけた上、車両に積み込んで作業場に運搬する工程
工程２）作業場の電線送り出し装置２２の手前に前記廃電線を巻き付けたドラム２１をセットし、該電線送り出し装置２２から前記廃電線を送り出す工程
工程３）前記電線送り出し装置２２から送り出された前記廃電線２０をカット位置まで送り出し、廃電線のカット装置２３で所定の長さで切断する工程
工程４）前記電線送り出し装置２２から送り出された前記廃電線２０から、電線表層剥離装置２４を用いて前記廃電線２０の表層を分離する工程
工程５）前記２）ないし４）の工程の間において冷却用オイルを回収する工程
【００２６】
＜第３の実施形態の説明＞
図３は、本発明の廃電線の切断およびオイル回収方法、廃電線の切断およびオイル回収装置の第３の実施の形態を示すものである。
まず、本実施例において廃電線の切断およびオイル回収装置は以下の構成を有するものである。
【００２７】
＜廃電線の巻取り装置：施工現場に設置＞
埋設した廃電線を引き出す施工現場に設置される電線巻取り装置（図示は省略）であり、前記廃電線を巻き付けたドラム３１をセットして前記廃電線を巻き取る作業を行う。
【００２８】
＜廃電線の表層剥離装置＞
前記ドラム３１から送り出された前記廃電線３０の表層を剥離する廃電線の表層剥離装置３２であり、前記廃電線３０の表層を皮むきする作業を行う。
【００２９】
＜廃電線の送り出し装置＞
前記廃電線を巻き付けたドラム３１を作業所に運搬して所定位置にセットした上、このドラム３１から廃電線３０を送り出す電線送り出し装置３３であり、前記廃電線を次の加工工程に送り出す作業を行う。
【００３０】
＜廃電線のカット装置＞
前記電線送り出し装置３３から送り出された前記廃電線３０を切断する廃電線のカット装置３４であり、廃電線３０をカット位置において所定の長さで切断する作業を行う。
【００３１】
＜オイル受け＞
前記各装置の下部に設置されていて冷却用オイルを回収するオイル受け３５であり、廃電線の切断時に冷却用オイルが流れ落ちるのを受け取る。
【００３２】
次に、第３の実施形態の廃電線の切断およびオイル回収方法の各工程を説明する。
工程１）廃電線が敷設された現場において、該廃電線３０をドラム３１に巻きつけた上、車両に積み込んで作業場に運搬する工程
工程２）作業場の電線表層剥離装置３２の手前に前記廃電線を巻き付けたドラム３１をセットし、前記ドラム３１から送り出された前記廃電線３０から、電線表層剥離装置３２を用いて前記廃電線３０の表層を分離する工程
工程３）前記電線送り出し装置３３を用いて前記廃電線３０を送り出す工程
工程４）前記電線送り出し装置３３から送り出された前記廃電線３０をカット位置まで送り出し、廃電線のカット装置３４で所定の長さで切断する工程
工程５）前記２）ないし４）の工程の間において冷却用オイルを回収する工程
【産業上の利用可能性】
【００３３】
この発明によれば、廃電線が敷設された現場で処理作業をすることなく、作業場に廃電線を運搬して処理作業を行うことができるため、同種の処理作業を伴う廃電線以外の埋設物の処理にも適用することができる。
【符号の説明】
【００３４】
１０  廃電線
１１  ドラム
１２  電線送り出し装置
１３  電線の表層剥離装置
１４  電線のカット装置
１５  オイル受け
２０  廃電線
２１  ドラム
２２  電線送り出し装置
２３  電線のカット装置
２４  電線の表層剥離装置
２５  オイル受け
３０  廃電線
３１  ドラム
３２  電線の表層剥離装置
３３  電線送り出し装置
３４  電線のカット装置
３５  オイル受け
【図１】
2018202329.tif 000003
【図２】
2018202329.tif 000004
【図３】
2018202329.tif 000005